(57)【要約】      （修正有）【課題】高速パルス計測をする装置に使用する計測器や出力信号選択回路を備えた放射線測定装置を提供する。【解決手段】パターン選択回路Ｅ１ないしＥｎは、パターン一致回路Ｄ１ないしＤｎの出力信号を有効にするか無効にするかを選択する。１パターン群選択回路Ｇからのパターン有効信号が有効なときパターン一致信号を有効に出力する。１入力有効検出回路Ｆは、ＯＲ回路で構成されパターン選択回路Ｅ１ないしＥｎからの入力信号が1つでも有効であれば有効の出力信号Ｑを出力端子ｂから出力し、入力信号Ｐ１ないしＰｎのすべての中で1つでも有効な信号があるとき有効の出力信号Ｑを出力する。入力信号Ｐ１ないしＰｎのすべてが有効でないときだけ出力信号Ｑは有効でなく、出力しない。パターン群選択回路Ｇは、信号を一致させるパターン群を選択しパターン群は測定条件により、同時個数パターンの何個か、隣接の個数条件の何個かなどと選択する。【選択図】図１
0003114276.tif 000002
【実用新案登録請求の範囲】
【請求項１】
複数の入力信号のすべての中から、同時刻に於ける入力の信号パルス個数が、選択個数条件と同じときに、出力信号を導出する出力信号選択回路。
【請求項２】
複数の入力信号のすべての中から、同時刻に於ける隣接の入力信号が来たとき、該隣接の入力信号パルス個数が選択個数条件と同じときに、出力信号を導出する出力信号選択回路。
【請求項３】
前記請求項１又は２記載に於ける出力信号選択回路を備えたことを特徴とする放射線測定装置。
【考案の詳細な説明】
【技術分野】
【０００１】
本考案は、複数の入力信号と選択されたパターン選択個数条件等が同時刻に一致すると出力信号を導出する出力信号選択回路及び宇宙線、原子力など放射線計測において、高速パルス計測をする装置に使用する計測器や出力信号選択回路を備えた放射線測定装置に関するものである。
【背景技術】
【０００２】
従来に於ける出力信号選択回路は図６に示すような構成であった。これについて説明し、従来の技術を明らかにする。
Ａ１ないしＡｎは１信号一致回路であって、入力信号端子ａ１ないしａｎからの入力信号Ｐ１ないしＰｎと選択信号作成回路Ｂ１ないしＢｎからの選択信号Ｓ１ないしＳｎが一致すれば全入力検出回路Ｃに出力信号を出力する。
Ｃは全入力検出回路であって、ＡＮＤ回路で構成されている。そして、１信号一致回路Ａ１ないしＡｎの出力が入力され、個々の入力信号Ｐ１ないしＰｎが全て有効のときに出力端子ｂから外部回路への出力信号Ｑは有効となる。1つでも有効でない入力信号Ｐ１ないしＰｎがあると出力信号Ｑは有効でなくなる。選択信号作成回路Ｂ１ないしＢｎは１信号一致回路Ａ１ないしＡｎに一致の信号パルスを出す。そして、1個ずつの入力信号Ｐ１ないしＰｎの選択信号を出力する。入力信号Ｐ１ないしＰｎが有効か有効でないときの選択信号であってスイッチなどで1入力ずつ決定する。
而して、入力信号Ｐ１ないしＰｎ毎に出力信号Ｑが有効なとき、有効でないときのいずれかで出力信号Ｑを有効にするかを決定していた。1つの入力信号Ｐ１ないしＰｎが有効有無に拘らず決め方の選択は自由であり、1入力信号Ｐ１ないしＰｎに対して選択する。個々の入力信号Ｐ１ないしＰｎの出力の方法を選択し、その個々出力が全て有効なときに、個々の入力信号Ｐ１ないしＰｎの全てが入力信号の選択指示通りの有効、有効でない信号通りである。入力信号Ｐ１ないしＰｎと選択指示が全信号で一致したことになる。このように、入力信号Ｐ１ないしＰｎを個々の1入力単位で選択指示をしてあるパターンを検出することで1つのパターンを検出していた。
尚、従来の技術の例としては、特開平５−３２７６６７号公開特許公報に開示された技術がある。
【特許文献１】特開平５−３２７６６７公開特許公報
【考案の開示】
【考案が解決しようとする課題】
【０００３】
従来の技術は叙上した構成であるので次の課題が存在した。
すなわち、個々の入力信号Ｐ１ないしＰｎ毎に、選択信号Ｓ１ないしＳｎと一致を取り個々の入力信号Ｐ１ないしＰｎが全て一致すれば、1つのパターンとして出力していた。１つの回路・装置で１パターンのみしか一致検出することができないという問題点があった。また、宇宙線等放射線の測定を行うときは、ある信号パターンを探すとき、複数信号の各々の信号の一致から１つの固定パターンを選択し、その1つのパターンのときだけ出力信号が出る回路が付いた計測装置であった。高速パルスのため、入力信号解析に計算機のソフトウエアによる処理では、処理時間が間に合わず複数パターンの計測ができなかった。
【課題を解決するための手段】
【０００４】
本考案に係る出力信号選択回路及び出力信号選択回路を備えた放射線測定装置は、複数信号入力に、信号パターン選択回路を取付けることで目的の信号を取出し、複数入力信号の同時刻の選択個数の全パターンを求め、そのパターンのどれかに一致したときに出力信号を出力するようにする。そして、選択個数によりパターン数は変わるように複数入力信号の同時刻の近接信号個数の全パターンを求め、そのパターンのどれかに一致したときに出力信号を出力するようにする。選択個数によりパターン数が変わるようにし、全入力信号を１パターンとして、その1パターンの一致を複数パターンで行うことを目的としたものであり、本考案は叙上した考案が解決しようとする課題を解決すべく、1入力信号に対する一致処理を行い全信号をパターンとするように考案したものであって、次の構成、手段から成立する。
【０００５】
請求項１記載の考案によれば、複数の入力信号のすべての中から、同時刻に於ける入力の信号パルス個数が、選択個数条件と同じときに、出力信号を導出する出力信号選択回路である。
【０００６】
請求項２記載の考案によれば、複数の入力信号のすべての中から、同時刻に於ける隣接の入力信号が来たとき、該隣接の入力信号パルス個数が選択個数条件と同じときに、出力信号を導出する出力信号選択回路である。
【０００７】
請求項３記載の考案によれば、前記請求項１又は２記載に於ける出力信号選択回路を備えたことを特徴とする放射線測定装置である。
【考案の効果】
【０００８】
本考案に係る出力信号選択回路及び出力信号選択回路を備えた放射線測定装置は、叙上の構成を有するので次の効果がある。
【０００９】
複数信号入力に、信号パターン選択回路を取付けることで目的の信号を取出し、複数入力信号の同時刻の選択個数の全パターンを求め、そのパターンのどれかに一致したときに出力信号を出力するようにすることができる。そして、選択個数によりパターン数は変わるように複数入力信号の同時刻の近接信号個数の全パターンを求め、そのパターンのどれかに一致したときに出力信号を出力するようにすることができる。選択個数によりパターン数が変わるようにし、全入力信号を１パターンとして、その1パターン一致を複数パターンで行うことができる。また、この放射線測定装置によれば、データパターンが従来の技術に比べ多く存在させるので、測定データ収集時間が短時間となり、測定精度が向上すると共に測定不能データをなくする等種々の効果がある。
【考案を実施するための最良の形態】
【００１０】
以下、本考案に係る出力信号選択回路及び該出力信号選択回路を備えた放射線測定装置に於ける実施の形態について添付図面に基づき詳細に説明する。
【００１１】
図１は、本考案に係る出力信号選択回路を示す構成、すなわちブロック結線図である。これを説明し、本考案の出力信号選択回路を明らかにする。
【００１２】
Ｄ１ないしＤｎはパターン一致回路であって、入力端子ａからの入力信号Ｐ１ないしＰｎのすべてのパターンと比較用パターンの一致を取り、パターンが一致すれば一致信号を有効に出力する。このパターン一致回路Ｄ１ないしＤｎは、パターンの数だけあり、1回路で1パターンの比較を行なう。Ｅ１ないしＥｎはパターン選択回路であって、パターン一致回路Ｄ１ないしＤｎの出力信号を有効にするか無効にするかを選択する。そして、後述するパターン群選択回路Ｇからのパターン有効信号が有効なときパターン一致信号を有効に出力する。Ｆは１入力有効検出回路であって、ＯＲ回路で構成されている。そして、パターン選択回路Ｅ１ないしＥｎからの入力信号が1つでも有効であれば有効の出力信号Ｑを出力端子ｂから出力し、前記入力信号Ｐ１ないしＰｎのすべての中で1つでも有効な信号があるとき有効の出力信号Ｑを出力する。入力信号Ｐ１ないしＰｎのすべてが有効でないときだけ出力信号Ｑは有効でなく、出力しない。Ｇはパターン群選択回路であって、信号を一致させるパターン群を選択する。そして、パターン群は測定条件により、同時個数パターンの何個か、隣接の個数条件の何個かなどと選択する。
【００１３】
而して、入力信号Ｐ１ないしＰｎは１入力パターンであるとき、1つのパターンと入力パターンを比較してパターンが一致すれば、一致が有効である信号を作成する。その比較パターンが有効であるか否かの信号をパターン選択回路Ｅ１ないしＥｎで作成する。パターン選択回路Ｅ１ないしＥｎの出力が1個でもあれば有効なパターンを検出し、出力信号Ｑを出力する。複数かつ多数のパターンとの一致比較を同時に行い同類パターン群を選択することができる。そして、選択内容として、同時個数パターンでは、入力信号Ｐ１ないしＰｎが２個のとき又は入力信号Ｐ１ないしＰｎが３個のとき、若しくは隣接の個数パターンでは、隣接の個数２個のとき、３個のときなど同類パターン群を検出することができる機能を有する。
【００１４】
図２は、本考案に係る出力信号選択回路に於ける動作を示すものであって、横軸の時間（ｔ）に対する縦軸の入力端子ａに入力される例えば３個の入力信号Ｐ１、Ｐ２、Ｐ３及び出力端子ｂから出力される出力信号Ｑの特性を示しかつ同時個数パターンの例を示している。そして、図２に於いて（イ）は入力信号選択１の場合、（ロ）は入力信号選択２の場合及び（ハ）は入力信号選択３の場合のそれぞれを示している。
【００１５】
これについて説明すれば、図２の（イ）の場合、すなわち、入力信号選択１では、ある時間で入力信号Ｐ１、Ｐ２、Ｐ３のうち１つだけある状態で出力信号Ｑが有効状態で出力する。入力信号Ｐ１、Ｐ２、Ｐ３が２個ある状態では、出力信号Ｑは有効でなく出力しない状態になっている。パルス信号の上方の横２本線を示し、これが存在する時間が出力信号Ｑが有効な時間、つまり出力する時間である。同じように、図２の（ロ）の場合、すなわち、入力信号選択２の時のタイムチャートでは、入力信号Ｐ１、Ｐ２、Ｐ３が「０」「１」「１」及び「１」「０」「１」のタイミングで出力信号Ｑが出力する状態になっている。図３の（ハ）の場合、すなわち入力信号選択３のタイムチャートでは、入力信号Ｐ１、Ｐ２、Ｐ３が「１」「１」「１」のタイミングだけ出力信号Ｑが出力する。同時個数パターンとは、ある時刻の有効信号個数が選択する個数になっているときに出力が出るパターンである。
【００１６】
図３は、本考案に係る出力信号選択回路に於ける動作を示すものであって、横軸の時間（ｔ）に対する縦軸の入力端子ａに入力される例えば５個の入力信号Ｐ１ないしＰ５及び出力端子ｂから出力される出力信号Ｑの特性を示しかつ隣接の個数パターンの例を示している。そして、図３に於いて（イ）は隣接の信号が存在しない場合、（ロ）は隣接の信号が２個の場合、（ハ）は隣接の信号が３個の場合のそれぞれを示している。
【００１７】
これについて説明すれば、図３の（イ）の場合、すなわち隣接の信号がない入力信号Ｐ１ないしＰ５では、入力信号Ｐ１とＰ２、入力信号Ｐ２とＰ３、入力信号Ｐ３とＰ４及び入力信号Ｐ４とＰ５の各入力信号Ｐ１ないしＰ５に重複時間帯がない。このような状態は隣接の信号が存在しない。隣接の信号が2個の状態では「０」「０」「１」「１」「０」及び「１」「１」「０」「０」「０」の状態の時に出力信号Ｑが有効で出力する状態になっている。隣接の信号が3個のときでは、「１」「０」「１」「１」「１」及び「０」「１」「１」「１」「０」と3個連続した「１」の状態の時に出力信号Ｑが出力することになる。タイムチャート以外の状態でも「１」「１」「１」「０」「０」、「０」「０」「１」「１」「１」及び「１」「１」「１」「０」「１」などのタイミングでも出力信号Ｑは出力状態となる。
【実施例１】
【００１８】
図４は、本考案に係る出力信号選択回路を備えた放射線測定装置の実施例１であって、放射線が宇宙線であるときのシステム構成図である。
これについて説明すれば、１はシンチュレーションカウンターであり、宇宙線αの粒子が到来すると光を発するシンチュレーション現象を利用した検出器である。そして、非常に高速に動作する。２は、ＸＹ比例計数管であり、該ＸＹ比例計数管２を、Ｘ軸、Ｙ軸に配置することで位置情報を検出する。そして、該ＸＹ比例計数管２は宇宙線αの粒子が通るとプロパンなどのガスが電離する現象を利用した粒子検出器である。宇宙線αの粒子のエネルギー量により電離によるイオン量が比例することでエネルギー量の検出もできる。３は主比例計数管であり、該主比例計数管３で宇宙線αの粒子のエネルギー量も検出できる構造にしてある。４はトリガーパルス発生器であり、上記シンチュレーションカウンター１の出力信号Ｑをパルス信号に変換する。５はＸＹ位置検出器であり、上記ＸＹ比例計数管２の出力信号ＱからＸＹの位置信号を作成する。６はＡＤ変換器であり、上記主比例計数管３の出力アナログ信号をデジタル信号に変換する。７はパターン検出器であり、ＸＹ位置情報から測定可能パターン群を選択する。８はデーター管理計算機であり、計測された位置情報、粒子のエネルギー量を記憶管理する。９はパターンモニターであり、検出されたパターン個数を表示する。
【００１９】
而して、シンチュレーションカウンター１により宇宙線αの粒子の到来を確認する。ＸＹ比例計数管２により宇宙線αの粒子の到来した位置を検出する。主比例計数管３により宇宙線αの粒子の位置の確認とそのエネルギー量を測定する。前記シンチュレーションカウンター１からの出力信号はトリガーパルス発生器４に入り本装置の動作タイミングを作成する。ＸＹ比例計数管２の出力信号からＸＹ位置検出器５により宇宙線αの粒子のＸＹ位置を検出する。このとき同時に複数個の宇宙線αの粒子が到来しているか、いかなる位置関係で宇宙線αの粒子が到来しているかを検出し測定対象の該粒子か測定対象外の粒子か判断する。この操作のために本考案に係る出力信号選択回路としてパターン群の検出を行うために採用する。測定パターンであれば、主比例計数管３の出力をＡＤ変換器６でデジタル数値に変換して、データー管理計算機８に保存する。
【実施例２】
【００２０】
図５は、本考案に係る出力信号選択回路を備えた放射線測定装置の実施例２であって、放射線が宇宙線であり、この宇宙線を観測・測定する装置の構成図である。
これについて説明すれば、１０はシンチュレーションカウンターであり、宇宙線αの粒子が到来すると光を発するシンチュレーション現象を利用した検出器である。そして、非常に高速に動作する。１１はパルス発生器であり、上記シンチュレーションカウンター１０の出力信号Ｑをパルス信号に変換する。１２はパターン検出器であり、上記パルス発生器１１のパルス信号から測定可能パターン群を選択する。１３は高速タイマーであり、パルス発生器１１の信号間の時間を測定する。１４はデーター管理計算機であり、計測された位置情報、宇宙線αのエネルギー量を記憶管理する。１５はパターンモニターであり、検出されたパターン個数を表示する。
【００２１】
而して、実施例２は宇宙線αの観測装置の中でも、エアーシャワーという同時に多数の宇宙線αの粒子が同一方向から到来する現象を観測する。宇宙線αの粒子の到来する方向と、その回数を測定する装置である。複数個のシンチュレーションカウンター１０からの出力信号Ｑでエアーシャワー状態の粒子到来状態か否かの判定をパターン検出器１２で行い、検出パターン群であればエアーシャワー状態の宇宙線αの粒子とみなし、最初に到来した宇宙線αの粒子と最後に到来した宇宙線αの粒子の時間差から角度を計算して、宇宙線αの粒子の飛来方向を検出することができる。また、宇宙線αの粒子の速度が判れば、該宇宙線αの粒子の到着時間差を測定することで、角度の計算ができ、粒子群の飛来方向を特定することができる。
【図面の簡単な説明】
【００２２】
【図１】本考案に係る出力信号選択回路の一例を示す構成図である。
【図２】本考案に係る出力信号選択回路の一例であって、時間（ｔ）に対する３個の入力信号Ｐ１、Ｐ２、Ｐ３及び出力信号Ｑに於ける同時個数パターンを示す特性図である。
【図３】本考案に係る出力信号選択回路の一例であって、時間（ｔ）に対する５個の入力信号Ｐ１ないしＰ５及び出力信号Ｑに於ける隣接の個数パターンを示す特性図である。
【図４】本考案に係る出力信号選択回路を備えた放射線測定装置の実施例１を示す構成図である。
【図５】本考案に係る出力信号選択回路を備えた放射線測定装置の実施例２を示す構成図である。
【図６】従来の技術に於ける出力信号選択回路の一例を示す構成図である。
【符号の説明】
【００２３】
Ｄ１ないしＤｎ  パターン一致回路
Ｅ１ないしＥｎ  パターン選択回路
Ｆ    １入力有効検出回路
Ｇ    １パターン群選択回路
ａ    入力端子
ｂ    出力端子
Ｐ１ないしＰｎ  入力信号
１    シンチュレーションカウンター
２    ＸＹ比例計数管
３    主比例計数管
４    トリガーパルス発生器
５    ＸＹ位置検出器
６    ＡＤ変換器
７    パターン検出器
８    データ管理計算機
９    パターンモニター
１０  シンチュレーションカウンター
１１  パルス発生器
１２  パターン検出器
１３  高速タイマー
１４  データ管理計算機
１５  パターンモニター
α    宇宙線
【図１】
0003114276.tif 000003
【図２】
0003114276.tif 000004
【図３】
0003114276.tif 000005
【図４】
0003114276.tif 000006
【図５】
0003114276.tif 000007
【図６】
0003114276.tif 000008
【手続補正書】
【提出日】平成17年4月22日(2005.4.22)
【手続補正１】
【補正対象書類名】実用新案登録請求の範囲
【補正対象項目名】全文
【補正方法】変更
【補正の内容】
【実用新案登録請求の範囲】
【請求項１】
複数の入力信号のすべてのパターンと比較用パターンの一致を取るパターン一致回路と、該パターン一致回路及びパターン群選択回路からの出力信号で有効・無効を判別するパターン選択回路と、同時刻に於ける入力の信号パルス個数が、入力信号の有効数を決定する選択個数条件と同じときに、１入力有効検出回路から出力信号を導出する出力信号選択回路。
【請求項２】
複数の入力信号のすべてのパターンと比較用パターンの一致を取るパターン一致回路と、該パターン一致回路及びパターン群選択回路からの出力信号で有効・無効を判別するパターン選択回路と、同時刻に於ける隣接の入力信号が来たとき、該隣接の入力信号パルス個数が入力信号の有効数を決定する選択個数条件と同じときに、１入力有効検出回路から出力信号を導出する出力信号選択回路。
【請求項３】
前記請求項１又は２記載に於ける出力信号選択回路がシンチュレーションカウンターとなることを特徴とする放射線測定装置。
【手続補正２】
【補正対象書類名】明細書
【補正対象項目名】全文
【補正方法】変更
【補正の内容】
【考案の詳細な説明】
【技術分野】
【０００１】
本考案は、複数の入力信号と選択されたパターン選択個数条件等が同時刻に一致すると出力信号を導出する出力信号選択回路及び宇宙線、原子力など放射線計測において、高速パルス計測をする装置に使用する計測器や出力信号選択回路を備えた放射線測定装置に関するものである。
【背景技術】
【０００２】
従来に於ける出力信号選択回路は図６に示すような構成であった。これについて説明し、従来の技術を明らかにする。
Ａ１ないしＡｎは１信号一致回路であって、入力信号端子ａ１ないしａｎからの入力信号Ｐ１ないしＰｎと選択信号作成回路Ｂ１ないしＢｎからの選択信号Ｓ１ないしＳｎが一致すれば全入力検出回路Ｃに出力信号を出力する。
Ｃは全入力検出回路であって、ＡＮＤ回路で構成されている。そして、１信号一致回路Ａ１ないしＡｎの出力が入力され、個々の入力信号Ｐ１ないしＰｎが全て有効のときに出力端子ｂから外部回路への出力信号Ｑは有効となる。1つでも有効でない入力信号Ｐ１ないしＰｎがあると出力信号Ｑは有効でなくなる。選択信号作成回路Ｂ１ないしＢｎは１信号一致回路Ａ１ないしＡｎに一致の信号パルスを出す。そして、1個ずつの入力信号Ｐ１ないしＰｎの選択信号を出力する。入力信号Ｐ１ないしＰｎが有効か有効でないときの選択信号であってスイッチなどで1入力ずつ決定する。
而して、入力信号Ｐ１ないしＰｎ毎に出力信号Ｑが有効なとき、有効でないときのいずれかで出力信号Ｑを有効にするかを決定していた。1つの入力信号Ｐ１ないしＰｎが有効有無に拘らず決め方の選択は自由であり、1入力信号Ｐ１ないしＰｎに対して選択する。個々の入力信号Ｐ１ないしＰｎの出力の方法を選択し、その個々出力が全て有効なときに、個々の入力信号Ｐ１ないしＰｎの全てが入力信号の選択指示通りの有効、有効でない信号通りである。入力信号Ｐ１ないしＰｎと選択指示が全信号で一致したことになる。このように、入力信号Ｐ１ないしＰｎを個々の1入力単位で選択指示をしてあるパターンを検出することで1つのパターンを検出していた。
尚、従来の技術の例としては、特開平５−３２７６６７号公開特許公報に開示された技術がある。
【特許文献１】特開平５−３２７６６７公開特許公報
【考案の開示】
【考案が解決しようとする課題】
【０００３】
従来の技術は叙上した構成であるので次の課題が存在した。
すなわち、個々の入力信号Ｐ１ないしＰｎ毎に、選択信号Ｓ１ないしＳｎと一致を取り個々の入力信号Ｐ１ないしＰｎが全て一致すれば、1つのパターンとして出力していた。１つの回路・装置で１パターンのみしか一致検出することができないという問題点があった。また、宇宙線等放射線の測定を行うときは、ある信号パターンを探すとき、複数信号の各々の信号の一致から１つの固定パターンを選択し、その1つのパターンのときだけ出力信号が出る回路が付いた計測装置であった。高速パルスのため、入力信号解析に計算機のソフトウエアによる処理では、処理時間が間に合わず複数パターンの計測ができなかった。
【課題を解決するための手段】
【０００４】
本考案に係る出力信号選択回路及び出力信号選択回路を備えた放射線測定装置は、複数信号入力に、信号パターン選択回路を取付けることで目的の信号を取出し、複数入力信号の同時刻の選択個数の全パターンを求め、そのパターンのどれかに一致したときに出力信号を出力するようにする。そして、選択個数によりパターン数は変わるように複数入力信号の同時刻の近接信号個数の全パターンを求め、そのパターンのどれかに一致したときに出力信号を出力するようにする。選択個数によりパターン数が変わるようにし、全入力信号を１パターンとして、その1パターンの一致を複数パターンで行うことを目的としたものであり、本考案は叙上した考案が解決しようとする課題を解決すべく、1入力信号に対する一致処理を行い全信号をパターンとするように考案したものであって、次の構成、手段から成立する。
【０００５】
請求項１記載の考案によれば、複数の入力信号のすべてのパターンと比較用パターンの一致を取るパターン一致回路と、該パターン一致回路及びパターン群選択回路からの出力信号で有効・無効を判別するパターン選択回路と、同時刻に於ける入力の信号パルス個数が、入力信号の有効数を決定する選択個数条件と同じときに、１入力有効検出回路から出力信号を導出する出力信号選択回路である。
【０００６】
請求項２記載の考案によれば、複数の入力信号のすべてのパターンと比較用パターンの一致を取るパターン一致回路と、該パターン一致回路及びパターン群選択回路からの出力信号で有効・無効を判別するパターン選択回路と、同時刻に於ける隣接の入力信号が来たとき、該隣接の入力信号パルス個数が入力信号の有効数を決定する選択個数条件と同じときに、１入力有効検出回路から出力信号を導出する出力信号選択回路である。
【０００７】
請求項３記載の考案によれば、前記請求項１又は２記載に於ける出力信号選択回路がシンチュレーションカウンターとなることを特徴とする放射線測定装置である。
【考案の効果】
【０００８】
本考案に係る出力信号選択回路及び出力信号選択回路を備えた放射線測定装置は、叙上の構成を有するので次の効果がある。
【０００９】
複数信号入力に、信号パターン選択回路を取付けることで目的の信号を取出し、複数入力信号の同時刻の選択個数の全パターンを求め、そのパターンのどれかに一致したときに出力信号を出力するようにすることができる。そして、選択個数によりパターン数は変わるように複数入力信号の同時刻の近接信号個数の全パターンを求め、そのパターンのどれかに一致したときに出力信号を出力するようにすることができる。選択個数によりパターン数が変わるようにし、全入力信号を１パターンとして、その1パターン一致を複数パターンで行うことができる。また、この放射線測定装置によれば、データパターンが従来の技術に比べ多く存在させるので、測定データ収集時間が短時間となり、測定精度が向上すると共に測定不能データをなくする等種々の効果がある。
【考案を実施するための最良の形態】
【００１０】
以下、本考案に係る出力信号選択回路及び該出力信号選択回路を備えた放射線測定装置に於ける実施の形態について添付図面に基づき詳細に説明する。
【００１１】
図１は、本考案に係る出力信号選択回路を示す構成、すなわちブロック結線図である。これを説明し、本考案の出力信号選択回路を明らかにする。
【００１２】
Ｄ１ないしＤｎはパターン一致回路であって、入力端子ａからの入力信号Ｐ１ないしＰｎのすべてのパターンと比較用パターンの一致を取り、パターンが一致すれば一致信号を有効に出力する。このパターン一致回路Ｄ１ないしＤｎは、パターンの数だけあり、1回路で1パターンの比較を行なう。Ｅ１ないしＥｎはパターン選択回路であって、パターン一致回路Ｄ１ないしＤｎの出力信号を有効にするか無効にするかを選択する。そして、後述するパターン群選択回路Ｇからのパターン有効信号が有効なときパターン一致信号を有効に出力する。Ｆは１入力有効検出回路であって、ＯＲ回路で構成されている。そして、パターン選択回路Ｅ１ないしＥｎからの入力信号が1つでも有効であれば有効の出力信号Ｑを出力端子ｂから出力し、前記入力信号Ｐ１ないしＰｎのすべての中で1つでも有効な信号があるとき有効の出力信号Ｑを出力する。入力信号Ｐ１ないしＰｎのすべてが有効でないときだけ出力信号Ｑは有効でなく、出力しない。Ｇはパターン群選択回路であって、信号を一致させるパターン群を選択する。そして、パターン群は測定条件により、同時個数パターンの何個か、隣接の個数条件の何個かなどと選択する。
【００１３】
而して、入力信号Ｐ１ないしＰｎは１入力パターンであるとき、1つのパターンと入力パターンを比較してパターンが一致すれば、一致が有効である信号を作成する。その比較パターンが有効であるか否かの信号をパターン選択回路Ｅ１ないしＥｎで作成する。パターン選択回路Ｅ１ないしＥｎの出力が1個でもあれば有効なパターンを検出し、出力信号Ｑを出力する。複数かつ多数のパターンとの一致比較を同時に行い同類パターン群を選択することができる。そして、選択内容として、同時個数パターンでは、入力信号Ｐ１ないしＰｎが２個のとき又は入力信号Ｐ１ないしＰｎが３個のとき、若しくは隣接の個数パターンでは、隣接の個数２個のとき、３個のときなど同類パターン群を検出することができる機能を有する。
【００１４】
図２は、本考案に係る出力信号選択回路に於ける動作を示すものであって、横軸の時間（ｔ）に対する縦軸の入力端子ａに入力される例えば３個の入力信号Ｐ１、Ｐ２、Ｐ３及び出力端子ｂから出力される出力信号Ｑの特性を示しかつ同時個数パターンの例を示している。そして、図２に於いて（イ）は入力信号選択１の場合、（ロ）は入力信号選択２の場合及び（ハ）は入力信号選択３の場合のそれぞれを示している。
【００１５】
これについて説明すれば、図２の（イ）の場合、すなわち、入力信号選択１では、ある時間で入力信号Ｐ１、Ｐ２、Ｐ３のうち１つだけある状態で出力信号Ｑが有効状態で出力する。入力信号Ｐ１、Ｐ２、Ｐ３が２個ある状態では、出力信号Ｑは有効でなく出力しない状態になっている。パルス信号の上方の横２本線を示し、これが存在する時間が出力信号Ｑが有効な時間、つまり出力する時間である。同じように、図２の（ロ）の場合、すなわち、入力信号選択２の時のタイムチャートでは、入力信号Ｐ１、Ｐ２、Ｐ３が「０」「１」「１」及び「１」「０」「１」のタイミングで出力信号Ｑが出力する状態になっている。図３の（ハ）の場合、すなわち入力信号選択３のタイムチャートでは、入力信号Ｐ１、Ｐ２、Ｐ３が「１」「１」「１」のタイミングだけ出力信号Ｑが出力する。同時個数パターンとは、ある時刻の有効信号個数が選択する個数になっているときに出力が出るパターンである。
【００１６】
図３は、本考案に係る出力信号選択回路に於ける動作を示すものであって、横軸の時間（ｔ）に対する縦軸の入力端子ａに入力される例えば５個の入力信号Ｐ１ないしＰ５及び出力端子ｂから出力される出力信号Ｑの特性を示しかつ隣接の個数パターンの例を示している。そして、図３に於いて（イ）は隣接の信号が存在しない場合、（ロ）は隣接の信号が２個の場合、（ハ）は隣接の信号が３個の場合のそれぞれを示している。
【００１７】
これについて説明すれば、図３の（イ）の場合、すなわち隣接の信号がない入力信号Ｐ１ないしＰ５では、入力信号Ｐ１とＰ２、入力信号Ｐ２とＰ３、入力信号Ｐ３とＰ４及び入力信号Ｐ４とＰ５の各入力信号Ｐ１ないしＰ５に重複時間帯がない。このような状態は隣接の信号が存在しない。隣接の信号が2個の状態では「０」「０」「１」「１」「０」及び「１」「１」「０」「０」「０」の状態の時に出力信号Ｑが有効で出力する状態になっている。隣接の信号が3個のときでは、「１」「０」「１」「１」「１」及び「０」「１」「１」「１」「０」と3個連続した「１」の状態の時に出力信号Ｑが出力することになる。タイムチャート以外の状態でも「１」「１」「１」「０」「０」、「０」「０」「１」「１」「１」及び「１」「１」「１」「０」「１」などのタイミングでも出力信号Ｑは出力状態となる。
【実施例１】
【００１８】
図４は、本考案に係る出力信号選択回路を備えた放射線測定装置の実施例１であって、放射線が宇宙線であるときのシステム構成図である。
これについて説明すれば、１はシンチュレーションカウンターであり、宇宙線αの粒子が到来すると光を発するシンチュレーション現象を利用した検出器である。そして、非常に高速に動作する。２は、ＸＹ比例計数管であり、該ＸＹ比例計数管２を、Ｘ軸、Ｙ軸に配置することで位置情報を検出する。そして、該ＸＹ比例計数管２は宇宙線αの粒子が通るとプロパンなどのガスが電離する現象を利用した粒子検出器である。宇宙線αの粒子のエネルギー量により電離によるイオン量が比例することでエネルギー量の検出もできる。３は主比例計数管であり、該主比例計数管３で宇宙線αの粒子のエネルギー量も検出できる構造にしてある。４はトリガーパルス発生器であり、上記シンチュレーションカウンター１の出力信号Ｑをパルス信号に変換する。５はＸＹ位置検出器であり、上記ＸＹ比例計数管２の出力信号ＱからＸＹの位置信号を作成する。６はＡＤ変換器であり、上記主比例計数管３の出力アナログ信号をデジタル信号に変換する。７はパターン検出器であり、ＸＹ位置情報から測定可能パターン群を選択する。８はデーター管理計算機であり、計測された位置情報、粒子のエネルギー量を記憶管理する。９はパターンモニターであり、検出されたパターン個数を表示する。
【００１９】
而して、シンチュレーションカウンター１により宇宙線αの粒子の到来を確認する。ＸＹ比例計数管２により宇宙線αの粒子の到来した位置を検出する。主比例計数管３により宇宙線αの粒子の位置の確認とそのエネルギー量を測定する。前記シンチュレーションカウンター１からの出力信号はトリガーパルス発生器４に入り本装置の動作タイミングを作成する。ＸＹ比例計数管２の出力信号からＸＹ位置検出器５により宇宙線αの粒子のＸＹ位置を検出する。このとき同時に複数個の宇宙線αの粒子が到来しているか、いかなる位置関係で宇宙線αの粒子が到来しているかを検出し測定対象の該粒子か測定対象外の粒子か判断する。この操作のために本考案に係る出力信号選択回路としてパターン群の検出を行うために採用する。測定パターンであれば、主比例計数管３の出力をＡＤ変換器６でデジタル数値に変換して、データー管理計算機８に保存する。
【実施例２】
【００２０】
図５は、本考案に係る出力信号選択回路を備えた放射線測定装置の実施例２であって、放射線が宇宙線であり、この宇宙線を観測・測定する装置の構成図である。
これについて説明すれば、１０はシンチュレーションカウンターであり、宇宙線αの粒子が到来すると光を発するシンチュレーション現象を利用した検出器である。そして、非常に高速に動作する。１１はパルス発生器であり、上記シンチュレーションカウンター１０の出力信号Ｑをパルス信号に変換する。１２はパターン検出器であり、上記パルス発生器１１のパルス信号から測定可能パターン群を選択する。１３は高速タイマーであり、パルス発生器１１の信号間の時間を測定する。１４はデーター管理計算機であり、計測された位置情報、宇宙線αのエネルギー量を記憶管理する。１５はパターンモニターであり、検出されたパターン個数を表示する。
【００２１】
而して、実施例２は宇宙線αの観測装置の中でも、エアーシャワーという同時に多数の宇宙線αの粒子が同一方向から到来する現象を観測する。宇宙線αの粒子の到来する方向と、その回数を測定する装置である。複数個のシンチュレーションカウンター１０からの出力信号Ｑでエアーシャワー状態の粒子到来状態か否かの判定をパターン検出器１２で行い、検出パターン群であればエアーシャワー状態の宇宙線αの粒子とみなし、最初に到来した宇宙線αの粒子と最後に到来した宇宙線αの粒子の時間差から角度を計算して、宇宙線αの粒子の飛来方向を検出することができる。また、宇宙線αの粒子の速度が判れば、該宇宙線αの粒子の到着時間差を測定することで、角度の計算ができ、粒子群の飛来方向を特定することができる。
【図面の簡単な説明】
【００２２】
【図１】本考案に係る出力信号選択回路の一例を示す構成図である。
【図２】本考案に係る出力信号選択回路の一例であって、時間（ｔ）に対する３個の入力信号Ｐ１、Ｐ２、Ｐ３及び出力信号Ｑに於ける同時個数パターンを示す特性図である。
【図３】本考案に係る出力信号選択回路の一例であって、時間（ｔ）に対する５個の入力信号Ｐ１ないしＰ５及び出力信号Ｑに於ける隣接の個数パターンを示す特性図である。
【図４】本考案に係る出力信号選択回路を備えた放射線測定装置の実施例１を示す構成図である。
【図５】本考案に係る出力信号選択回路を備えた放射線測定装置の実施例２を示す構成図である。
【図６】従来の技術に於ける出力信号選択回路の一例を示す構成図である。
【符号の説明】
【００２３】
Ｄ１ないしＤｎ  パターン一致回路
Ｅ１ないしＥｎ  パターン選択回路
Ｆ    １入力有効検出回路
Ｇ    １パターン群選択回路
ａ    入力端子
ｂ    出力端子
Ｐ１ないしＰｎ  入力信号
１    シンチュレーションカウンター
２    ＸＹ比例計数管
３    主比例計数管
４    トリガーパルス発生器
５    ＸＹ位置検出器
６    ＡＤ変換器
７    パターン検出器
８    データ管理計算機
９    パターンモニター
１０  シンチュレーションカウンター
１１  パルス発生器
１２  パターン検出器
１３  高速タイマー
１４  データ管理計算機
１５  パターンモニター
α    宇宙線
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
複数の入力信号のすべてのパターンと比較用パターンの一致を取るパターン一致回路と、該パターン一致回路及びパターン群選択回路からの出力信号で有効・無効を判別するパターン選択回路と、同時刻に於ける入力の信号パルス個数が、入力信号の有効数を決定する選択個数条件と同じときに、１入力有効検出回路から出力信号を導出する出力信号選択回路。
【請求項２】
複数の入力信号のすべてのパターンと比較用パターンの一致を取るパターン一致回路と、該パターン一致回路及びパターン群選択回路からの出力信号で有効・無効を判別するパターン選択回路と、同時刻に於ける隣接の入力信号が来たとき、該隣接の入力信号パルス個数が入力信号の有効数を決定する選択個数条件と同じときに、１入力有効検出回路から出力信号を導出する出力信号選択回路。
【請求項３】
前記請求項１又は２記載に於ける前記入力信号が放射線である出力信号選択回路がシンチュレーションカウンターとなることを特徴とする放射線測定装置。
【手続補正２】
【補正対象書類名】明細書
【補正対象項目名】全文
【補正方法】変更
【補正の内容】
【考案の詳細な説明】
【技術分野】
【０００１】
本考案は、複数の入力信号と選択されたパターン選択個数条件等が同時刻に一致すると出力信号を導出する出力信号選択回路及び宇宙線、原子力など放射線計測において、高速パルス計測をする装置に使用する計測器や出力信号選択回路を備えた放射線測定装置に関するものである。
【背景技術】
【０００２】
従来に於ける出力信号選択回路は図６に示すような構成であった。これについて説明し、従来の技術を明らかにする。
Ａ１ないしＡｎは１信号一致回路であって、入力信号端子ａ１ないしａｎからの入力信号Ｐ１ないしＰｎと選択信号作成回路Ｂ１ないしＢｎからの選択信号Ｓ１ないしＳｎが一致すれば全入力検出回路Ｃに出力信号を出力する。
Ｃは全入力検出回路であって、ＡＮＤ回路で構成されている。そして、１信号一致回路Ａ１ないしＡｎの出力が入力され、個々の入力信号Ｐ１ないしＰｎが全て有効のときに出力端子ｂから外部回路への出力信号Ｑは有効となる。1つでも有効でない入力信号Ｐ１ないしＰｎがあると出力信号Ｑは有効でなくなる。選択信号作成回路Ｂ１ないしＢｎは１信号一致回路Ａ１ないしＡｎに一致の信号パルスを出す。そして、1個ずつの入力信号Ｐ１ないしＰｎの選択信号を出力する。入力信号Ｐ１ないしＰｎが有効か有効でないときの選択信号であってスイッチなどで1入力ずつ決定する。
而して、入力信号Ｐ１ないしＰｎ毎に出力信号Ｑが有効なとき、有効でないときのいずれかで出力信号Ｑを有効にするかを決定していた。1つの入力信号Ｐ１ないしＰｎが有効有無に拘らず決め方の選択は自由であり、1入力信号Ｐ１ないしＰｎに対して選択する。個々の入力信号Ｐ１ないしＰｎの出力の方法を選択し、その個々出力が全て有効なときに、個々の入力信号Ｐ１ないしＰｎの全てが入力信号の選択指示通りの有効、有効でない信号通りである。入力信号Ｐ１ないしＰｎと選択指示が全信号で一致したことになる。このように、入力信号Ｐ１ないしＰｎを個々の1入力単位で選択指示をしてあるパターンを検出することで1つのパターンを検出していた。
尚、従来の技術の例としては、特開平５−３２７６６７号公開特許公報に開示された技術がある。
【特許文献１】特開平５−３２７６６７公開特許公報
【考案の開示】
【考案が解決しようとする課題】
【０００３】
従来の技術は叙上した構成であるので次の課題が存在した。
すなわち、個々の入力信号Ｐ１ないしＰｎ毎に、選択信号Ｓ１ないしＳｎと一致を取り個々の入力信号Ｐ１ないしＰｎが全て一致すれば、1つのパターンとして出力していた。１つの回路・装置で１パターンのみしか一致検出することができないという問題点があった。また、宇宙線等放射線の測定を行うときは、ある信号パターンを探すとき、複数信号の各々の信号の一致から１つの固定パターンを選択し、その1つのパターンのときだけ出力信号が出る回路が付いた計測装置であった。高速パルスのため、入力信号解析に計算機のソフトウエアによる処理では、処理時間が間に合わず複数パターンの計測ができなかった。
【課題を解決するための手段】
【０００４】
本考案に係る出力信号選択回路及び出力信号選択回路を備えた放射線測定装置は、複数信号入力に、信号パターン選択回路を取付けることで目的の信号を取出し、複数入力信号の同時刻の選択個数の全パターンを求め、そのパターンのどれかに一致したときに出力信号を出力するようにする。そして、選択個数によりパターン数は変わるように複数入力信号の同時刻の近接信号個数の全パターンを求め、そのパターンのどれかに一致したときに出力信号を出力するようにする。選択個数によりパターン数が変わるようにし、全入力信号を１パターンとして、その1パターンの一致を複数パターンで行うことを目的としたものであり、本考案は叙上した考案が解決しようとする課題を解決すべく、1入力信号に対する一致処理を行い全信号をパターンとするように考案したものであって、次の構成、手段から成立する。
【０００５】
請求項１記載の考案によれば、複数の入力信号のすべてのパターンと比較用パターンの一致を取るパターン一致回路と、該パターン一致回路及びパターン群選択回路からの出力信号で有効・無効を判別するパターン選択回路と、同時刻に於ける入力の信号パルス個数が、入力信号の有効数を決定する選択個数条件と同じときに、１入力有効検出回路から出力信号を導出する出力信号選択回路である。
【０００６】
請求項２記載の考案によれば、複数の入力信号のすべてのパターンと比較用パターンの一致を取るパターン一致回路と、該パターン一致回路及びパターン群選択回路からの出力信号で有効・無効を判別するパターン選択回路と、同時刻に於ける隣接の入力信号が来たとき、該隣接の入力信号パルス個数が入力信号の有効数を決定する選択個数条件と同じときに、１入力有効検出回路から出力信号を導出する出力信号選択回路である。
【０００７】
請求項３記載の考案によれば、前記請求項１又は２記載に於ける前記入力信号が放射線である出力信号選択回路がシンチュレーションカウンターとなることを特徴とする放射線測定装置である。
【考案の効果】
【０００８】
本考案に係る出力信号選択回路及び出力信号選択回路を備えた放射線測定装置は、叙上の構成を有するので次の効果がある。
【０００９】
複数信号入力に、信号パターン選択回路を取付けることで目的の信号を取出し、複数入力信号の同時刻の選択個数の全パターンを求め、そのパターンのどれかに一致したときに出力信号を出力するようにすることができる。そして、選択個数によりパターン数は変わるように複数入力信号の同時刻の近接信号個数の全パターンを求め、そのパターンのどれかに一致したときに出力信号を出力するようにすることができる。選択個数によりパターン数が変わるようにし、全入力信号を１パターンとして、その1パターン一致を複数パターンで行うことができる。また、この放射線測定装置によれば、データパターンが従来の技術に比べ多く存在させるので、測定データ収集時間が短時間となり、測定精度が向上すると共に測定不能データをなくする等種々の効果がある。
【考案を実施するための最良の形態】
【００１０】
以下、本考案に係る出力信号選択回路及び該出力信号選択回路を備えた放射線測定装置に於ける実施の形態について添付図面に基づき詳細に説明する。
【００１１】
図１は、本考案に係る出力信号選択回路を示す構成、すなわちブロック結線図である。これを説明し、本考案の出力信号選択回路を明らかにする。
【００１２】
Ｄ１ないしＤｎはパターン一致回路であって、入力端子ａからの入力信号Ｐ１ないしＰｎのすべてのパターンと比較用パターンの一致を取り、パターンが一致すれば一致信号を有効に出力する。このパターン一致回路Ｄ１ないしＤｎは、パターンの数だけあり、1回路で1パターンの比較を行なう。Ｅ１ないしＥｎはパターン選択回路であって、パターン一致回路Ｄ１ないしＤｎの出力信号を有効にするか無効にするかを選択する。そして、後述するパターン群選択回路Ｇからのパターン有効信号が有効なときパターン一致信号を有効に出力する。Ｆは１入力有効検出回路であって、ＯＲ回路で構成されている。そして、パターン選択回路Ｅ１ないしＥｎからの入力信号が1つでも有効であれば有効の出力信号Ｑを出力端子ｂから出力し、前記入力信号Ｐ１ないしＰｎのすべての中で1つでも有効な信号があるとき有効の出力信号Ｑを出力する。入力信号Ｐ１ないしＰｎのすべてが有効でないときだけ出力信号Ｑは有効でなく、出力しない。Ｇはパターン群選択回路であって、信号を一致させるパターン群を選択する。そして、パターン群は測定条件により、同時個数パターンの何個か、隣接の個数条件の何個かなどと選択する。
【００１３】
而して、入力信号Ｐ１ないしＰｎは１入力パターンであるとき、1つのパターンと入力パターンを比較してパターンが一致すれば、一致が有効である信号を作成する。その比較パターンが有効であるか否かの信号をパターン選択回路Ｅ１ないしＥｎで作成する。パターン選択回路Ｅ１ないしＥｎの出力が1個でもあれば有効なパターンを検出し、出力信号Ｑを出力する。複数かつ多数のパターンとの一致比較を同時に行い同類パターン群を選択することができる。そして、選択内容として、同時個数パターンでは、入力信号Ｐ１ないしＰｎが２個のとき又は入力信号Ｐ１ないしＰｎが３個のとき、若しくは隣接の個数パターンでは、隣接の個数２個のとき、３個のときなど同類パターン群を検出することができる機能を有する。
【００１４】
図２は、本考案に係る出力信号選択回路に於ける動作を示すものであって、横軸の時間（ｔ）に対する縦軸の入力端子ａに入力される例えば３個の入力信号Ｐ１、Ｐ２、Ｐ３及び出力端子ｂから出力される出力信号Ｑの特性を示しかつ同時個数パターンの例を示している。そして、図２に於いて（イ）は入力信号選択１の場合、（ロ）は入力信号選択２の場合及び（ハ）は入力信号選択３の場合のそれぞれを示している。
【００１５】
これについて説明すれば、図２の（イ）の場合、すなわち、入力信号選択１では、ある時間で入力信号Ｐ１、Ｐ２、Ｐ３のうち１つだけある状態で出力信号Ｑが有効状態で出力する。入力信号Ｐ１、Ｐ２、Ｐ３が２個ある状態では、出力信号Ｑは有効でなく出力しない状態になっている。パルス信号の上方の横２本線を示し、これが存在する時間が出力信号Ｑが有効な時間、つまり出力する時間である。同じように、図２の（ロ）の場合、すなわち、入力信号選択２の時のタイムチャートでは、入力信号Ｐ１、Ｐ２、Ｐ３が「０」「１」「１」及び「１」「０」「１」のタイミングで出力信号Ｑが出力する状態になっている。図３の（ハ）の場合、すなわち入力信号選択３のタイムチャートでは、入力信号Ｐ１、Ｐ２、Ｐ３が「１」「１」「１」のタイミングだけ出力信号Ｑが出力する。同時個数パターンとは、ある時刻の有効信号個数が選択する個数になっているときに出力が出るパターンである。
【００１６】
図３は、本考案に係る出力信号選択回路に於ける動作を示すものであって、横軸の時間（ｔ）に対する縦軸の入力端子ａに入力される例えば５個の入力信号Ｐ１ないしＰ５及び出力端子ｂから出力される出力信号Ｑの特性を示しかつ隣接の個数パターンの例を示している。そして、図３に於いて（イ）は隣接の信号が存在しない場合、（ロ）は隣接の信号が２個の場合、（ハ）は隣接の信号が３個の場合のそれぞれを示している。
【００１７】
これについて説明すれば、図３の（イ）の場合、すなわち隣接の信号がない入力信号Ｐ１ないしＰ５では、入力信号Ｐ１とＰ２、入力信号Ｐ２とＰ３、入力信号Ｐ３とＰ４及び入力信号Ｐ４とＰ５の各入力信号Ｐ１ないしＰ５に重複時間帯がない。このような状態は隣接の信号が存在しない。隣接の信号が2個の状態では「０」「０」「１」「１」「０」及び「１」「１」「０」「０」「０」の状態の時に出力信号Ｑが有効で出力する状態になっている。隣接の信号が3個のときでは、「１」「０」「１」「１」「１」及び「０」「１」「１」「１」「０」と3個連続した「１」の状態の時に出力信号Ｑが出力することになる。タイムチャート以外の状態でも「１」「１」「１」「０」「０」、「０」「０」「１」「１」「１」及び「１」「１」「１」「０」「１」などのタイミングでも出力信号Ｑは出力状態となる。
【実施例１】
【００１８】
図４は、本考案に係る出力信号選択回路を備えた放射線測定装置の実施例１であって、放射線が宇宙線であるときのシステム構成図である。
これについて説明すれば、１はシンチュレーションカウンターであり、宇宙線αの粒子が到来すると光を発するシンチュレーション現象を利用した検出器である。そして、非常に高速に動作する。２は、ＸＹ比例計数管であり、該ＸＹ比例計数管２を、Ｘ軸、Ｙ軸に配置することで位置情報を検出する。そして、該ＸＹ比例計数管２は宇宙線αの粒子が通るとプロパンなどのガスが電離する現象を利用した粒子検出器である。宇宙線αの粒子のエネルギー量により電離によるイオン量が比例することでエネルギー量の検出もできる。３は主比例計数管であり、該主比例計数管３で宇宙線αの粒子のエネルギー量も検出できる構造にしてある。４はトリガーパルス発生器であり、上記シンチュレーションカウンター１の出力信号Ｑをパルス信号に変換する。５はＸＹ位置検出器であり、上記ＸＹ比例計数管２の出力信号ＱからＸＹの位置信号を作成する。６はＡＤ変換器であり、上記主比例計数管３の出力アナログ信号をデジタル信号に変換する。７はパターン検出器であり、ＸＹ位置情報から測定可能パターン群を選択する。８はデーター管理計算機であり、計測された位置情報、粒子のエネルギー量を記憶管理する。９はパターンモニターであり、検出されたパターン個数を表示する。
【００１９】
而して、シンチュレーションカウンター１により宇宙線αの粒子の到来を確認する。ＸＹ比例計数管２により宇宙線αの粒子の到来した位置を検出する。主比例計数管３により宇宙線αの粒子の位置の確認とそのエネルギー量を測定する。前記シンチュレーションカウンター１からの出力信号はトリガーパルス発生器４に入り本装置の動作タイミングを作成する。ＸＹ比例計数管２の出力信号からＸＹ位置検出器５により宇宙線αの粒子のＸＹ位置を検出する。このとき同時に複数個の宇宙線αの粒子が到来しているか、いかなる位置関係で宇宙線αの粒子が到来しているかを検出し測定対象の該粒子か測定対象外の粒子か判断する。この操作のために本考案に係る出力信号選択回路としてパターン群の検出を行うために採用する。測定パターンであれば、主比例計数管３の出力をＡＤ変換器６でデジタル数値に変換して、データー管理計算機８に保存する。
【実施例２】
【００２０】
図５は、本考案に係る出力信号選択回路を備えた放射線測定装置の実施例２であって、放射線が宇宙線であり、この宇宙線を観測・測定する装置の構成図である。
これについて説明すれば、１０はシンチュレーションカウンターであり、宇宙線αの粒子が到来すると光を発するシンチュレーション現象を利用した検出器である。そして、非常に高速に動作する。１１はパルス発生器であり、上記シンチュレーションカウンター１０の出力信号Ｑをパルス信号に変換する。１２はパターン検出器であり、上記パルス発生器１１のパルス信号から測定可能パターン群を選択する。１３は高速タイマーであり、パルス発生器１１の信号間の時間を測定する。１４はデーター管理計算機であり、計測された位置情報、宇宙線αのエネルギー量を記憶管理する。１５はパターンモニターであり、検出されたパターン個数を表示する。
【００２１】
而して、実施例２は宇宙線αの観測装置の中でも、エアーシャワーという同時に多数の宇宙線αの粒子が同一方向から到来する現象を観測する。宇宙線αの粒子の到来する方向と、その回数を測定する装置である。複数個のシンチュレーションカウンター１０からの出力信号Ｑでエアーシャワー状態の粒子到来状態か否かの判定をパターン検出器１２で行い、検出パターン群であればエアーシャワー状態の宇宙線αの粒子とみなし、最初に到来した宇宙線αの粒子と最後に到来した宇宙線αの粒子の時間差から角度を計算して、宇宙線αの粒子の飛来方向を検出することができる。また、宇宙線αの粒子の速度が判れば、該宇宙線αの粒子の到着時間差を測定することで、角度の計算ができ、粒子群の飛来方向を特定することができる。
【図面の簡単な説明】
【００２２】
【図１】本考案に係る出力信号選択回路の一例を示す構成図である。
【図２】本考案に係る出力信号選択回路の一例であって、時間（ｔ）に対する３個の入力信号Ｐ１、Ｐ２、Ｐ３及び出力信号Ｑに於ける同時個数パターンを示す特性図である。
【図３】本考案に係る出力信号選択回路の一例であって、時間（ｔ）に対する５個の入力信号Ｐ１ないしＰ５及び出力信号Ｑに於ける隣接の個数パターンを示す特性図である。
【図４】本考案に係る出力信号選択回路を備えた放射線測定装置の実施例１を示す構成図である。
【図５】本考案に係る出力信号選択回路を備えた放射線測定装置の実施例２を示す構成図である。
【図６】従来の技術に於ける出力信号選択回路の一例を示す構成図である。
【符号の説明】
【００２３】
Ｄ１ないしＤｎ  パターン一致回路
Ｅ１ないしＥｎ  パターン選択回路
Ｆ    １入力有効検出回路
Ｇ    １パターン群選択回路
ａ    入力端子
ｂ    出力端子
Ｐ１ないしＰｎ  入力信号
１    シンチュレーションカウンター
２    ＸＹ比例計数管
３    主比例計数管
４    トリガーパルス発生器
５    ＸＹ位置検出器
６    ＡＤ変換器
７    パターン検出器
８    データ管理計算機
９    パターンモニター
１０  シンチュレーションカウンター
１１  パルス発生器
１２  パターン検出器
１３  高速タイマー
１４  データ管理計算機
１５  パターンモニター
α    宇宙線